【手続補正書】
【提出日】平成20年5月14日(2008.5.14)
【手続補正１】
【補正対象書類名】明細書
【補正対象項目名】特許請求の範囲
【補正方法】変更
【補正の内容】
【特許請求の範囲】
【請求項１】  被帯電体に当接され電圧が印加されて被帯電体を帯電する帯電部材であり、被帯電体に対向する帯電面に被帯電体との間にギャップを形成する複数のスペーサを有し、形成されるギャップの最大値が表面電位作成ギャップ以上で、最小値が表面電位作成ギャップ以下であることを特徴とする帯電部材。
【請求項２】  導電部と、該導電部に積層され該導電部より抵抗の高い抵抗部を有し、該抵抗部が被帯電体に対向する帯電面であることを特徴とする請求項１に記載の帯電部材。
【請求項３】 高さが表面電位作成ギャップより小さい複数の補助スペーサを持つことを特徴とする請求項１又は２に記載の帯電部材。
【請求項４】  スペーサと帯電面との成す面積が、スペーサと被帯電体との成す面積より大きいこと特徴とする請求項１から３の何れか１つに記載の帯電部材。
【請求項５】  スペーサが被帯電体進行方向に対し斜めに配置されていることを特徴とする請求項１から４の何れか１つに記載の帯電部材。
【請求項６】  請求項１から５の何れか１つに記載の帯電部材と、その帯電部材に電圧を印加する電源部を有することを特徴とする帯電装置。
【請求項７】  像担持体と、像担持体を帯電する帯電装置と、帯電された像担持体に静電潜像を形成する情報書き込み手段と、静電潜像を現像剤像として現像する現像装置と、現像剤像を記録媒体に転写する転写装置を有する画像形成装置において、帯電装置が請求項６に記載の帯電装置であることを特徴とする画像形成装置。
【請求項８】  画像形成装置の装置本体に対し着脱可能としたカートリッジであり、像担持体と、像担持体を帯電するための帯電部材を有し、帯電部材が請求項１から５の何れか１つに記載の帯電部材であることを特徴とするカートリッジ。
【手続補正２】
【補正対象書類名】明細書
【補正対象項目名】００１１
【補正方法】変更
【補正の内容】
【００１１】
特開平３−２１７８７３号公報に開示されている方法では、感光ドラムとの接触面が狭く、たとえば、ニップ幅が１ｍｍ以下、しかも、同様のブレードであるクリーニングブレードに比較して硬度が高い（硬い、たとえば、６５度、ＪＩＳ−Ａ）ために、クリーニングブレードと感光ドラムとの接触部をすり抜けたトナーの微粉や感光ドラムを介して搬送される転写紙からの紙粉などの汚れが接触部すなわち帯電ブレードと感光ドラムとが当接されている帯電位置にはさまることがある。このことは、結果的に、部分的な帯電不良を招く。この部分的な帯電不良は、画像に、白スジあるいは黒スジを発生させる。
【手続補正３】
【補正対象書類名】明細書
【補正対象項目名】００１６
【補正方法】変更
【補正の内容】
【００１６】
なお、帯電ブレード１０の感光ドラム２に対する圧接力を強くする方法は、帯電ブレード１０のめくれを引き起こすばかりでなく、感光ドラム２の駆動力として大きな力を必要とすることから、トルクの強い大きなモータの使用が要求され、結果的に、モータの大型化およびコストの増大を招く。
【手続補正４】
【補正対象書類名】明細書
【補正対象項目名】００２３
【補正方法】変更
【補正の内容】
【００２３】
（１）被帯電体に当接され電圧が印加されて被帯電体を帯電する帯電部材であり、被帯電体に対向する帯電面に被帯電体との間にギャップを形成する複数のスペーサを有し、形成されるギャップの最大値が表面電位作成ギャップ以上で、最小値が表面電位作成ギャップ以下であることを特徴とする帯電部材。
【手続補正５】
【補正対象書類名】明細書
【補正対象項目名】００２４
【補正方法】変更
【補正の内容】
【００２４】
（２）導電部と、該導電部に積層され該導電部より抵抗の高い抵抗部を有し、該抵抗部が被帯電体に対向する帯電面であることを特徴とする（１）に記載の帯電部材。
【手続補正６】
【補正対象書類名】明細書
【補正対象項目名】００２５
【補正方法】変更
【補正の内容】
【００２５】
（３）高さが表面電位作成ギャップより小さい複数の補助スペーサを持つことを特徴とする（１）又は（２）に記載の帯電部材。
【手続補正７】
【補正対象書類名】明細書
【補正対象項目名】００２６
【補正方法】変更
【補正の内容】
【００２６】
（４）スペーサと帯電面との成す面積が、スペーサと被帯電体との成す面積より大きいこと特徴とする（１）から（３）の何れか１つに記載の帯電部材。
【手続補正８】
【補正対象書類名】明細書
【補正対象項目名】００２７
【補正方法】変更
【補正の内容】
【００２７】
（５）スペーサが被帯電体進行方向に対し斜めに配置されていることを特徴とする（１）から（４）の何れか１つに記載の帯電部材。
【手続補正９】
【補正対象書類名】明細書
【補正対象項目名】００２８
【補正方法】変更
【補正の内容】
【００２８】
（６）前記（１）から（５）の何れか１つに記載の帯電部材と、その帯電部材に電圧を印加する電源部を有することを特徴とする帯電装置。
【手続補正１０】
【補正対象書類名】明細書
【補正対象項目名】００２９
【補正方法】変更
【補正の内容】
【００２９】
（７）像担持体と、像担持体を帯電する帯電装置と、帯電された像担持体に静電潜像を形成する情報書き込み手段と、静電潜像を現像剤像として現像する現像装置と、現像剤像を記録媒体に転写する転写装置を有する画像形成装置において、帯電装置が（６）に記載の帯電装置であることを特徴とする画像形成装置。
【手続補正１１】
【補正対象書類名】明細書
【補正対象項目名】００３０
【補正方法】変更
【補正の内容】
【００３０】
（８）画像形成装置の装置本体に対し着脱可能としたカートリッジであり、像担持体と、像担持体を帯電するための帯電部材を有し、帯電部材が（１）から（５）の何れか１つに記載の帯電部材であることを特徴とするカートリッジ。
【手続補正１２】
【補正対象書類名】明細書
【補正対象項目名】００３９
【補正方法】変更
【補正の内容】
【００３９】
６は現像装置であり、図では現像スリーブを代表させて表した。上記のように回転感光ドラム２の面に形成された静電潜像はこの現像装置６によってトナー画像（現像剤像）として現像される。
【手続補正１３】
【補正対象書類名】明細書
【補正対象項目名】００４６
【補正方法】変更
【補正の内容】
【００４６】
〔II〕帯電装置３００
帯電装置３００は、被帯電体である感光ドラム２に対して当接させて固定配置した帯電部材であるところの帯電シート１、及びこの帯電シート１に帯電電圧を印加する電源（電源部）２００を備えている。
【手続補正１４】
【補正対象書類名】明細書
【補正対象項目名】００８９
【補正方法】変更
【補正の内容】
【００８９】
〔IV〕帯電部材１の詳細説明
図３・図４において、１−１は前述したようにスペーサであり、被帯電体である感光ドラム２の面の進行方向（被帯電体進行方向）に対し斜めに多数配置されていて、導電層１−３と感光ドラム２のギャップを一定に保つためのものである。これは絶縁性のインクを用い、インクジェットプリンターを用い印刷にて作成したものである。導電層１−３はＰＥＴ等の厚さ２５μｍの絶縁体シート１−２の上に、アルミを２０００Å蒸着して作成したものである。
【手続補正１５】
【補正対象書類名】明細書
【補正対象項目名】００９１
【補正方法】変更
【補正の内容】
【００９１】
図５では、帯電部材１が感光ドラム２に当接している部分の拡大図を示している。上記の構成において電源から直流バイアスが導電層１−３に印加されると、感光ドラム２の基板は接地されているので、クーロン力に依って、帯電部材１は感光ドラム２に引き寄せられる。その結果、導電層１−３は感光ドラム２の表面に接触するが、スペーサ１−１の高さは、表面電位作成ギャップの約２０より高い５０μｍ、直径は３０μｍに設定してあるので、スペーサ１−１の周りには確実に表面電位作成ギャップ１−１００が確実に形成される。即ち、スペーサ１−１で形成されるギャップの最大値が表面電位作成ギャップ以上で、最小値が表面電位作成ギャップ以下である。仮にスペーサ１−１が無いと、導電層１−３は感光ドラム２に密着してしまい、放電可能ギャップ下限１−１０２を下回る部分が発生し、その部分が帯電不良の原因となるのである。
【手続補正１６】
【補正対象書類名】明細書
【補正対象項目名】０１００
【補正方法】変更
【補正の内容】
【０１００】
〈実施例２〉
図９にその他の実施例を示す。本実施例は、帯電面は導電部より抵抗の高い抵抗部からなることを特徴とする帯電部材である。即ち、導電部と、該導電部に積層され該導電部より抵抗の高い抵抗部を有し、該抵抗部が被帯電体に対向する帯電面であることを特徴とする帯電部材である。図中、１−５は体積低効率が１０の１０乗Ωｃｍ、厚み２０μｍの帯電面であるところの高抵抗層である。この層１−５の体積抵抗率は１０の６乗から１０の１１乗Ωｃｍであれば感光ドラム２にピンホールがあってもリークしなかった。